(57)【要約】【課題】キャノピー部のフロントパネルをケース本体の前方から着脱操作できようにしてロケーション先で行うメンテナンスの作業性改善を図り、併せて電照板の上縁をフロントパネルに安定支持できるように組立構造を改良する。【解決手段】キャノピー部５の上面および前面を覆うフロントパネル１５の下端部を本体ケース１の前面に固定したライトレール８の下面に重ね合わせてビス１７により下方からねじ止め固定し、フロントパネルを取り外す際には、前方からのアクセス，ねじ操作によりビス１７を外してフロントカバーを前方へ取り外し可能に組付けるものとし、ここでフロントパネル１５の下端部には内面に溶接してビス止め用のパネル取付座片１５ｂを設けた上で、該取付座片とフロントパネルの下端部先端に折り返し形成した電照板押え１５ａとの間に電照板１４の板厚に相応した間隙ｇを設定し、ここに電照板の上縁を差し込んで保持する。【選択図】      図１
2004242990.tif 000002
【特許請求の範囲】
【請求項１】
ケース本体の上部前面に蛍光灯付きのキャノピー部を備えたショーケースであって、前記キャノピー部がケース本体の前面に取付けて蛍光灯を支持するライトレールと、蛍光灯の前方を覆う電照板と、電照板の上縁に連ねてキャノピー部の上面および前面を覆うフロントパネルとの組立体からなるものにおいて、
前記フロントパネルの下端部をライトレールの下面に重ね合わせてビス止めし、該ビスを外してフロントカバーを前方へ取り外し可能に組付けたことを特徴とするショーケース。
【請求項２】
請求項１に記載のショーケースにおいて、フロントパネルの内面にビス止め用のパネル取付座片を付設した上で、該取付座片とフロントパネルの下端部先端に折り返し形成した電照板押えとの間に電照板の上縁を嵌入保持する間隙を設定したことを特徴とするショーケース。
【発明の詳細な説明】
【０００１】
【発明の属する技術分野】
本発明はショーケースに関し、詳しくはケース本体の上部前面に設けたキャノピー部の組立構造に係わる。
【０００２】
【従来の技術】
まず、本発明の実施対象となるショーケースの一例として、多段形オープンショーケースの構成，およびそのケース本体に設けたキャノピー部の従来構造を図３〜図５に示す。図３はオープンショーケースの全体構成図であり、１は前面開放形の断熱筐体になるオープンショーケースのケース本体、２はケース本体１の庫内に上下段に並べて設けた商品陳列棚、３はケース本体１の冷気循環ダクトに配した冷却器（冷凍機のエバポレータ）、４は送風ファンであり、ケース本体１の上部前面には庇状に突き出した蛍光灯付きのキャノピー部（天蓋）５を備えている（例えば、特許文献１参照。）。
【０００３】
なお、６はロケーション先の店舗内に据付けたオープンショーケースの設置位置に合わせてその前面の天井側に設けた下がり壁（オープンショーケースの上方を覆う化粧壁）である。
次に、前記キャノピー部５の従来例として、特許文献１に開示されている組立構造を図４，図５に示す。すなわち、キャノピー部５は、ケース本体１の前面に取付板７を介して後傾姿勢に組付けた長尺なライトレール８と、ライトレール８の下面にホルダ９を介して支持した蛍光灯１０と、ライトレール８の板面に上端を固定した左右一対の吊り金具１１の間に懸架し、蛍光灯１０の前方を覆うようにモール１２，化粧ねじ１３を介して取付けた電照板１４と、電照板１４の上縁に連ねてキャノピー部５の上面および前面を覆うようＬ形に板金加工した鋼板製のフロントパネル１５との組立体からなる。ここで、フロントパネル１５はその天板を前記取付板７の上に重ねてビス１７で締結固定しており、この位置でフロントパネル１５の下端部先端を内側に折り返して形成した電照板押え１５ａとその背後に対峙するライトレール８の先端屈曲部８ａとの間に設定した間隙ｇに電照板１４の上縁を下方から差し込んで支持するようにしている。
【０００４】
また、フロントパネル１５と前記のライトレール８とで囲まれたキャノピー部５の内部空間には、蛍光灯１０の安定器１６，庫内温度制御装置（図示せず）などの各種電装品が格納配備されている。
【０００５】
【特許文献１】
特開平１１−２９０１６５号公報
【０００６】
【発明が解決しようとする課題】
ところで、図４に示したキャノピー部の従来の組立構造では、オープンショーケースのロケーション先で行うメンテナンスの作業性で次のような問題点がある。すなわち、
（１）  フロントパネル１５により覆われたキャノピーの内部空間に設置した安定器１６などの電装品に対する部品交換あるいは点検を行うには、フロントパネル１５を取り外してメンテナンス作業を行う必要があるが、オープンショーケースを据付けたロケーション先でメンテナンス作業を行う場合に、図３のようにショーケースのキャノピー部５と重なるように天井側に下がり壁６が有ると、フロントパネル１５を固定しているビス１７が下がり壁６の背後に隠れるため、この下がり壁が邪魔になって前方からビス１７を着脱することが極めて困難となる。そのために、止む得ず下がり壁６を一時的に撤去してフロントパネルを取り外す大掛かりな作業が必要となる。
【０００７】
（２）  また、ライトレール８の先端部８ａとフロントパネル１５の先端に形成した電照板押え１５ａとの間に設定した間隙ｇは、キャノピー部５を構成する各部品の組立精度，ビス止め位置のずれよってばらつくため、ショーケースの組立ラインで前記隙間を電照板１４の板厚に合わせた所定寸法に管理することが実際面で中々困難である。しかも、間隙ｇの寸法が狭いと電照板１４の差し込みが困難となるし、逆に間隙ｇが広すぎるとガタが生じて電照板１４の支持が不安定となる。
本発明は上記の点に鑑みなされたものであり、その目的は、キャノピー部のフロントパネルをケース本体の前方から操作で着脱できるようにしてロケーション先で行うメンテナンス作業性の改善を図り、併せて電照板の上縁をフロントパネルに安定支持できるように改良したショーケースのキャノピー組立構造を提供することにある。
【０００８】
【課題を解決するための手段】
上記目的を達成するために、本発明によれば、ケース本体の上部前面に蛍光灯付きのキャノピー部を備えたショーケースであって、前記キャノピー部がケース本体の前面に取付けて蛍光灯を支持するライトレールと、蛍光灯の前方を覆う電照板と、電照板に連ねてキャノピー部の上面および前面を覆うフロントパネルとの組立体からなるものにおいて、
前記フロントパネルの下端部をライトレールの下面に重ね合わせてビス止めし、該ビスを外してフロントカバーを前方へ取り外し可能に組付けるものとする（請求項１）。
【０００９】
上記の構成によれば、ケース本体の前方からキャノピー部のライトレールにアクセスし、ライトレールに螺合したビスをねじ外してフロントパネルを前方に取り外すことができる。したがって、ロケーション先の据付け現場でケース本体の天井側に下がり壁（図３参照）を設けた場合でも、この下がり壁に邪魔されることなくフロントパネルを前方に引き外してキャノピー部の内部に配置した各種電装品の部品交換，点検などのメンテナンス作業が行える。
また、本発明によれば、前記構成のキャノピー部おいて、フロントパネルの内面にビス止め用のパネル取付座片を付設した上で、該取付座片とフロントパネルの下端部先端に折り返し形成した電照板押えとの間に電照板の上縁を嵌入保持するを間隙を設定する（請求項２）。
【００１０】
この構成によれば、キャノピー部を構成する各部品の取付誤差の影響を受けることなく、電照板の上縁を嵌入保持する間隙を一定に管理して電照板を安定よく支持できる。
【００１１】
【発明の実施の形態】
以下、本発明の実施の形態を図１，図２に示す実施例に基づいて説明する。なお、実施例の図中で図４に対応する部材には同じ符号を付してその詳細な説明は省略する。
すなわち、図示実施例のキャノピー組立構造においては、フロントパネル１５の内面に図２で示すような断面形状に曲げ加工した鋼板製のパネル取付座片１５ｂをスポット溶接により取付けた上で、該パネル取付座片１５ｂとフロントパネル１５の下端部先端に折り返し形成した電照板押え１５ａとの間に電照板１４の板厚に対応する間隙ｇを固定的に設定する。また、パネル取付座片１５ｂの先端にはビスの通し穴１５ｂ−１を開口しておく。なお、１８はフロントパネル１５の前面に装着した温度表示器（ケースの庫内温度を表示する）である。
【００１２】
そして、図１に示すキャノピー部５の組立状態では、フロントパネル１５の下端側に付設した前記パネル取付座片１５ｂの先端をケース本体１の前面に取付金具７を介して取付けたライトレール８の上端側下面に重ね合わせ、下方からビス１７により締結して組付け固定されている。また、この位置で電照板１４の上縁をフロントパネル１５の先端に折り返し形成した電照板押え１５ａとパネル取付座片１５ｂとの間の隙間ｇに嵌合保持している。
上記の組立状態から、フロントパネル１５を取り外してキャノピー部５の内部空間に配置した蛍光灯の安定器１６などの電装品を交換，点検する場合には、次記の手順にしたがってフロントパネル１５を取り外すようにする。すなわち、最初に化粧ねじ１３を緩めて電照板１４を吊り金具１１から取り外す（手順Ｉ）。次に、前方からライトレール８の下面に螺合したビス１７にアクセスし、ドライバ（ネジ回し）を使ってビス１７を外す（手順ＩＩ）  。最後にフロントパネル１５を前方に引き出す（手順ＩＩＩ）。
【００１３】
これにより、図３で示したようにロケーション先に据付けたオープンショーケースの天井側に下がり壁６を設けた場合でも、この下がり壁６に阻害されることなくビス１７を外してフロントパネル１５を前方に引出し、キャノピー部５の内部空間に配置した電装品の交換，点検などのメンテナンス作業を行うことができる。なお、取り外したフロントパネル１５を装着するには、前記の取り外し手順と逆な手順で行うものとする。
【００１４】
【発明の効果】
以上述べたように、本発明によれば、キャノピー部の上面および前面を覆うフロントパネルの下端部を本体ケースの前面に固定したライトレールの下面に重ね合わせてビス止めし、該ビスを外してフロントカバーを前方へ取り外し可能に組付けたことにより、
ケース本体の前方からキャノピー部のライトレールにアクセスし、ライトレールの下面に螺合したビスをねじ操作してフロントパネルを前方に取り外すことができる。したがって、ロケーション先の据付け場所にケース本体の天井側を覆う下がり壁（図３参照）が設けてある場合でも、この下がり壁を撤去したりすることなく、フロントパネルを前方に取り外してキャノピー部の内部に配置した各種電装品の部品交換，点検などの作業が行えてメンテナンス性が向上する。
【００１５】
また、前記フロントパネルの下端部内面にビス止め用のパネル取付座片を付設した上で、該取付座片とフロントパネルの下端部先端に折り返し形成した電照板押えとの間に電照板の上縁を嵌入保持するを間隙を設定した本発明の請求項２の構成によれば、キャノピー部を構成する各部品の取付誤差の影響を受けることなく、電照板の上縁を嵌入保持する間隙を一定に管理して電照板を安定よく支持できる。
【図面の簡単な説明】
【図１】本発明の実施例に係るキャノピー部の組立構造を表す側視断面図
【図２】図１におけるフロントパネルの拡大断面図
【図３】多段式オープンショーケースの全体構成図
【図４】図３におけるキャノピー部の従来構造を表す側視断面図
【図５】図４における電照板および吊り金具の分解斜視図
【符号の説明】
１    ケース本体
５    キャノピー部
８    ライトレール
１０    蛍光灯
１１    電照板の吊り金具
１４    電照板
１５    フロントパネル
１５ａ  電照板押え
１５ｂ  パネル取付座片
１６    蛍光灯の安定器（電装品）
１７    ビス
【図１】
2004242990.tif 000003
【図２】
2004242990.tif 000004
【図３】
2004242990.tif 000005
【図４】
2004242990.tif 000006
【図５】
2004242990.tif 000007